(57)【要約】【課題】  ＨＤＭＩコネクタとリアパネルをネジ止めする際に、ＨＤＭＩコネクタのネジ止め用孔とリアパネルの取付孔との位置決めを簡単且つ正確に行え、ネジ止め作業が行い易くて簡便にできると共に、このＨＤＭＩコネクタが配置された基板の位置決めを簡単且つ確実に行うことができるＨＤＭＩコネクタ付き基板の取付方法及び取付構造を提供する。【解決手段】  ＨＤＭＩコネクタ４のネジ止め用孔４ｃ近傍の位置決め用孔４ｄに鉄板からなるリアパネル２の取付孔２ｂ近傍に折り曲げ形成した突起２ｃを挿入しＨＤＭＩコネクタのネジ止め用孔をリアパネルの取付孔に位置決めし、基板３に形成された位置決め用孔３ｂにボス５Ａ上端に形成された突出部５ａを挿入して基板を位置決めしＨＤＭＩコネクタのネジ止め用孔とリアパネルの取付孔にネジを挿入して取付固定し、基板の取付孔３ａにネジを挿入し複数本のボス５にネジ止めして基板をシャシー１のボスに取付固定する。【選択図】  図２
2008016333.tif 000002
【特許請求の範囲】
【請求項１】
基板上に配置されたＨＤＭＩコネクタをリアパネルにネジ止めすると共に、前記基板をシャーシから上向きに突出された複数本のボスにネジ止めして取り付けるようにしたＨＤＭＩコネクタ付き基板の取付方法において、前記ＨＤＭＩコネクタのネジ止め用孔の近傍に形成された位置決め用孔に、鉄板で形成された前記リアパネルの取付孔の近傍に折り曲げにより形成された突起を挿入して前記ＨＤＭＩコネクタのネジ止め用孔を前記リアパネルの取付孔に位置決めする共に、前記基板に形成された位置決め用孔に前記ボスの上端に形成された突出部を挿入することにより前記基板を位置決めして、前記ＨＤＭＩコネクタのネジ止め用孔と前記リアパネルの取付孔にネジを挿入して取付固定すると共に、前記基板に形成された取付孔にネジを挿入し前記複数本のボスにネジ止めして前記基板を前記シャーシのボスに取付固定するようにしたことを特徴とするＨＤＭＩコネクタ付き基板の取付方法。
【請求項２】
基板上に配置されたＨＤＭＩコネクタをリアパネルにネジ止めすると共に、前記基板をシャーシから上向きに突出された複数本のボスにネジ止めして取り付けるようにしたＨＤＭＩコネクタ付き基板の取付方法において、前記ＨＤＭＩコネクタのネジ止め用孔の近傍に形成された位置決め用孔に前記リアパネルの取付孔の近傍に形成された突起を挿入して前記ＨＤＭＩコネクタのネジ止め用孔を前記リアパネルの取付孔に位置決めすると共に前記基板に形成された複数の取付孔を前記シャーシの複数のボスに対して位置決めして、前記ＨＤＭＩコネクタのネジ止め用孔と前記リアパネルの取付孔にネジを挿入して取付固定すると共に前記基板の複数の取付孔にネジを挿入し前記複数本のボスにネジ止めして前記基板を前記シャーシのボスに取付固定するようにしたことを特徴とするＨＤＭＩコネクタ付き基板の取付方法。
【請求項３】
前記リアパネルは合成樹脂で形成され、成形時に前記突起を形成するようにした請求項２に記載のＨＤＭＩコネクタ付き基板の取付方法。
【請求項４】
基板上に配置されたＨＤＭＩコネクタをリアパネルにネジ止めすると共に、前記基板をシャーシから上向きに突出された複数本のボスにネジ止めして取り付けるようにしたＨＤＭＩコネクタ付き基板の取付構造において、前記リアパネルは鉄板で形成され、前記ＨＤＭＩコネクタのネジ止め用孔の近傍に位置決め用孔が形成されていると共に、前記リアパネルの取付孔の近傍に前記位置決め用孔に挿入されて位置決めするための突起が折り曲げにより形成され、前記ボスの少なくとも１本に前記基板に形成された位置決め用孔に挿入されて位置決めするための突出部が形成されており、前記ＨＤＭＩコネクタの位置決め用孔に前記リアパネルの突起を挿入して前記ＨＤＭＩコネクタのネジ止め用孔と前記リアパネルの取付孔とを位置決めすると共に、前記基板の位置決め用孔に前記ボスの突出部を挿入して前記基板の位置決めをし、前記ＨＤＭＩコネクタのネジ止め用孔と前記リアパネルの取付孔にネジを挿入して取付固定すると共に前記基板の複数本の取付孔にネジを挿入し前記複数本のボスにネジ止めして前記基板を前記シャーシのボスに取付固定するように構成したことを特徴とするＨＤＭＩコネクタ付き基板の取付構造。
【請求項５】
基板上に配置されたＨＤＭＩコネクタをリアパネルにネジ止めすると共に、前記基板をシャーシから上向きに突出された複数本のボスにネジ止めして取り付けるようにしたＨＤＭＩコネクタ付き基板の取付構造において、前記ＨＤＭＩコネクタのネジ止め用孔の近傍に位置決め用孔が形成されていると共に、前記リアパネルの取付孔の近傍に前記位置決め用孔に挿入されて位置決めするための突起が形成されており、前記ＨＤＭＩコネクタの位置決め用孔に前記リアパネルの突起を挿入して前記ＨＤＭＩコネクタのネジ止め用孔と前記リアパネルの取付孔とを位置決めすると共に前記基板に形成された複数の取付孔を前記シャーシの複数のボスに対して位置決めして、前記ＨＤＭＩコネクタのネジ止め用孔と前記リアパネルの取付孔にネジを挿入して取付固定すると共に前記基板の複数の取付孔にネジを挿入し前記複数本のボスにネジ止めして前記基板を前記シャーシのボスに取付固定するように構成したことを特徴とするＨＤＭＩコネクタ付き基板の取付構造。
【請求項６】
前記リアパネルは合成樹脂で形成され、前記突起は前記リアパネルの成形時に形成される請求項５に記載のＨＤＭＩコネクタ付き基板の取付構造。
【発明の詳細な説明】
【技術分野】
【０００１】
本発明は、基板上に配置されたＨＤＭＩコネクタをリアパネルにネジ止めすると共に、前記基板をシャーシから上向きに突出された複数本のボスにネジ止めして取り付けるようにしたＨＤＭＩコネクタ付き基板の取付方法及び取付構造に関するものである。
【背景技術】
【０００２】
従来、図６に示すように、シャーシ１０１上に突出形成された複数本のリブ１０２に基板１０３をネジ止めで取り付け、この基板１０３上に配置されたＨＤＭＩコネクタ（レセプタクル）１０４をリアパネル１０５に取り付ける際に、ＨＤＭＩコネクタ１０４側のネジ孔１０５とリアパネル１０５側のネジ孔１０６の位置がうまく合わず、ネジ止め作業が非常に行い難いという問題があった。
【０００３】
第１の従来技術を図７（ａ）（ｂ）に示す。この従来のパネルに対する部品の取付構造は、図７（ａ）（ｂ）に示すように、パネル２０２上にコネクタブロック２１１を固定するに当たり、コネクタブロック２１１上の互いに離間した２つの点Ａ、Ｂを固定点とし、一方の固定点Ａに突設したクリップ２１３をパネル２０２に形成した係止孔２０４に差し込み係合させ、且つ、他方の固定点Ｂに設けたボルト通し孔２１５とパネル２０２に形成した取付孔２０６を合致させて、両孔２１５、２０６に通したボルト２０７でパネル２０２とコネクタブロック２１１を締結することにより、コネクタブロック２１１をパネル２０２に固定した部品の取付構造において、コネクタブロック２１１に、クリップ２１３をパネル２０２の係止孔２０４に差し込み係合させてクリップ２１３を軸にコネクタブロック２１１を回動させた際に、パネル２０２のストッパ２２０に当たって、その状態でボルト通し孔２１５とパネル２０２側の取付孔２０６とを位置合わせする当接部２１８を設けたものである。（例えば、特許文献１参照）。
【０００４】
ところが、これにおいては、クリップ２１３と係止孔２０４は位置決め用のものではなく、ストッパ２２０と当接部２１８が位置決め用のものであった。
【０００５】
第２の従来技術を図８（ａ）（ｂ）に示す。この従来の車両用成形天井の取付構造は、図８（ａ）（ｂ）に示すように、別部品と成形天井３２０との当接面の一方側に凸部３２５、他方側に凹部３４４を設ける。この凹凸嵌合により補助ノブホルダー３４０を成形天井３２０の所定箇所に仮保持する。補助ノブホルダー３４０の裏面に設けた位置決め用突起３４３に対して成形天井３２０の位置決め孔３２４周囲を圧縮偏平化した薄肉部３２６として剛性を確保するものである。（例えば、特許文献２参照）。
【０００６】
ところが、これにおいては、基板を使用してなく、基板の取付構造ではなかった。
【特許文献１】特開２００１−２９８８２８号公報
【特許文献２】特開平１１−２２２０８１号公報
【発明の開示】
【発明が解決しようとする課題】
【０００７】
本発明は、上記従来の実情に鑑みてなされたものであって、ＨＤＭＩコネクタとリアパネルをネジ止めする際に、ＨＤＭＩコネクタのネジ止め用孔とリアパネルの取付孔との位置決めを簡単且つ正確に行うことができ、ネジ止め作業が行い易くて簡便にできると共に、このＨＤＭＩコネクタが配置された基板の位置決めを簡単且つ確実に行うことができるＨＤＭＩコネクタ付き基板の取付方法及び取付構造を提供することを目的としている。
【課題を解決するための手段】
【０００８】
本発明は、上記課題を解決するために提案されたものであって、請求項１に記載の発明は、基板上に配置されたＨＤＭＩコネクタをリアパネルにネジ止めすると共に、前記基板をシャーシから上向きに突出された複数本のボスにネジ止めして取り付けるようにしたＨＤＭＩコネクタ付き基板の取付方法において、前記ＨＤＭＩコネクタのネジ止め用孔の近傍に形成された位置決め用孔に、鉄板で形成された前記リアパネルの取付孔の近傍に折り曲げにより形成された突起を挿入して前記ＨＤＭＩコネクタのネジ止め用孔を前記リアパネルの取付孔に位置決めする共に、前記基板に形成された位置決め用孔に前記ボスの上端に形成された突出部を挿入することにより前記基板を位置決めして、前記ＨＤＭＩコネクタのネジ止め用孔と前記リアパネルの取付孔にネジを挿入して取付固定すると共に、前記基板に形成された取付孔にネジを挿入し前記複数本のボスにネジ止めして前記基板を前記シャーシのボスに取付固定するようにしたことを特徴としている。
【０００９】
請求項２に記載の発明は、基板上に配置されたＨＤＭＩコネクタをリアパネルにネジ止めすると共に、前記基板をシャーシから上向きに突出された複数本のボスにネジ止めして取り付けるようにしたＨＤＭＩコネクタ付き基板の取付方法において、前記ＨＤＭＩコネクタのネジ止め用孔の近傍に形成された位置決め用孔に前記リアパネルの取付孔の近傍に形成された突起を挿入して前記ＨＤＭＩコネクタのネジ止め用孔を前記リアパネルの取付孔に位置決めすると共に前記基板に形成された複数の取付孔を前記シャーシの複数のボスに対して位置決めして、前記ＨＤＭＩコネクタのネジ止め用孔と前記リアパネルの取付孔にネジを挿入して取付固定すると共に前記基板の複数の取付孔にネジを挿入し前記複数本のボスにネジ止めして前記基板を前記シャーシのボスに取付固定するようにしたことを特徴としている。
【００１０】
請求項３に記載の発明は、請求項２に記載の発明において、前記リアパネルは合成樹脂で形成され、成形時に前記突起を形成するようにした。
【００１１】
請求項４に記載の発明は、基板上に配置されたＨＤＭＩコネクタをリアパネルにネジ止めすると共に、前記基板をシャーシから上向きに突出された複数本のボスにネジ止めして取り付けるようにしたＨＤＭＩコネクタ付き基板の取付構造において、前記リアパネルは鉄板で形成され、前記ＨＤＭＩコネクタのネジ止め用孔の近傍に位置決め用孔が形成されていると共に、前記リアパネルの取付孔の近傍に前記位置決め用孔に挿入されて位置決めするための突起が折り曲げにより形成され、前記ボスの少なくとも１本に前記基板に形成された位置決め用孔に挿入されて位置決めするための突出部が形成されており、前記ＨＤＭＩコネクタの位置決め用孔に前記リアパネルの突起を挿入して前記ＨＤＭＩコネクタのネジ止め用孔と前記リアパネルの取付孔とを位置決めすると共に、前記基板の位置決め用孔に前記ボスの突出部を挿入して前記基板の位置決めをし、前記ＨＤＭＩコネクタのネジ止め用孔と前記リアパネルの取付孔にネジを挿入して取付固定すると共に前記基板の複数本の取付孔にネジを挿入し前記複数本のボスにネジ止めして前記基板を前記シャーシのボスに取付固定するように構成したことを特徴としている。
【００１２】
請求項５に記載の発明は、基板上に配置されたＨＤＭＩコネクタをリアパネルにネジ止めすると共に、前記基板をシャーシから上向きに突出された複数本のボスにネジ止めして取り付けるようにしたＨＤＭＩコネクタ付き基板の取付構造において、前記ＨＤＭＩコネクタのネジ止め用孔の近傍に位置決め用孔が形成されていると共に、前記リアパネルの取付孔の近傍に前記位置決め用孔に挿入されて位置決めするための突起が形成されており、前記ＨＤＭＩコネクタの位置決め用孔に前記リアパネルの突起を挿入して前記ＨＤＭＩコネクタのネジ止め用孔と前記リアパネルの取付孔とを位置決めすると共に前記基板に形成された複数の取付孔を前記シャーシの複数のボスに対して位置決めして、前記ＨＤＭＩコネクタのネジ止め用孔と前記リアパネルの取付孔にネジを挿入して取付固定すると共に前記基板の複数の取付孔にネジを挿入し前記複数本のボスにネジ止めして前記基板を前記シャーシのボスに取付固定するように構成したことを特徴としている。
【００１３】
請求項６に記載の発明は、請求項５に記載の発明において、前記リアパネルは合成樹脂で形成され、前記突起は前記リアパネルの成形時に形成されるものである。
【発明の効果】
【００１４】
請求項１に記載の発明によれば、ＨＤＭＩコネクタの位置決め用孔にリアパネルの突起を挿入してＨＤＭＩコネクタのネジ止め用孔とリアパネルの取付孔を位置決めするようにしたから、ＨＤＭＩコネクタとリアパネルのネジ止め作業が行い易くて簡便にできる。これと共に基板に形成された位置決め用孔にシャーシのボスの突出部を挿入して基板を位置決めするようにしたから、基板の複数の取付孔と複数のボスとを正確にネジ止めすることができ、このネジ止め作業が行い易い。また、リアパネルを鉄板で形成しているから、このリアパネルに折り曲げにより突起を簡単に形成することができる。また、ＨＤＭＩコネクタに位置決め用孔を形成したから、突起を設けていない従来のリアパネルに対しても取り付け可能にすることができる。
【００１５】
請求項２に記載の発明によれば、基板上に配置されたＨＤＭＩコネクタの位置決め用孔にリアパネルの突起を挿入してＨＤＭＩコネクタのネジ止め用孔とリアパネルの取付孔を位置決めするようにすると共に基板の複数の取付孔をシャーシのボスに対して位置決めするようにしたから、ＨＤＭＩコネクタのリアパネルに対するネジ止め作業と、基板の複数の取付孔とシャーシの複数のボスとのネジ止め作業を簡単且つ正確に行うことができる。
【００１６】
請求項３に記載の発明によれば、リアパネルが合成樹脂で形成されているから、成形により突起を簡単に造ることができる。また、突起がリアパネルと一体に形成されているから、この突起を頑丈に造ることができる。
【００１７】
請求項４に記載の発明によれば、ＨＤＭＩコネクタに形成された位置決め用孔にリアパネルに形成された突起を挿入してＨＤＭＩコネクタのネジ止め用孔とリアパネルの取付孔を位置決めするようにしたから、ＨＤＭＩコネクタとリアパネルのネジ止め作業が行い易くて簡便にできる。これと共に基板に形成された位置決め用孔にシャーシに形成されたボスの突出部を挿入して基板を位置決めするようにしたから、基板の複数の取付孔と複数のボスとを正確にネジ止めすることができ、このネジ止め作業が行い易い。また、リアパネルを鉄板で形成しているから、このリアパネルに折り曲げにより突起を簡単に形成することができる。また、ＨＤＭＩコネクタに位置決め用孔が形成されているから、突起が設けられていない従来のリアパネルに対しても取り付け可能にすることができる。
【００１８】
請求項５に記載の発明によれば、基板上に配置されたＨＤＭＩコネクタに形成された位置決め用孔にリアパネルに形成された突起を挿入してＨＤＭＩコネクタのネジ止め用孔とリアパネルの取付孔を位置決めするようにすると共に基板の複数の取付孔をシャーシのボスに対して位置決めするようにしたから、ＨＤＭＩコネクタのリアパネルに対するネジ止め作業と、基板の複数の取付孔とシャーシの複数のボスとのネジ止め作業を簡単且つ正確に行うことができる。
【００１９】
請求項６に記載の発明によれば、リアパネルが合成樹脂で形成されているから、このリアパネルの成形時に突起を一体に形成することができ、突起を頑丈に造ることができる。
【発明を実施するための最良の形態】
【００２０】
以下、本発明に係るＨＤＭＩコネクタ付き基板の取付方法及び取付構造の実施の形態について、図を参照しつつ説明する。
【００２１】
図１は本発明のＨＤＭＩコネクタ付き基板の取付構造の第１実施形態を示す取付前の状態を示す裏面側から見た斜視図、図２は同取付構造の取付途中の状態を示す裏面側から見た斜視図、図３は同取付構造の取付完了時の状態を示す正面側から見た斜視図である。
【００２２】
この第１実施形態のＨＤＭＩコネクタ付き基板の取付構造は、図１に示すように、シャーシ１に鉄板で形成されたリアパネル２が取り付けられている。このリアパネル２には基板３上のＨＤＭＩコネクタ（レセプタクル）４が取り付けられるようになっており、また、シャーシ１には４本のボス５が立設されている。ＨＤＭＩコネクタ４は本体部４ａと本体部４ａの先端から上向きに延設された取付板４ｂが設けられている。リアパネル２にはＨＤＭＩコネクタ４の本体部４ａの先端部分が外部に露見される開口部２ａが形成され、その上側に取付孔２ｂが形成され、この取付孔２ｂの近傍箇所に切込みが穿設されて折り曲げによって突起２ｃが形成されている。ＨＤＭＩコネクタ４の取付板４ｂには、ネジ止め用孔４ｃが形成され、このネジ止め用孔４ｃの近傍に前記突起２ｃが挿入される位置決め用孔４ｄが形成されている。シャーシ１の４本のボス５の内、奥側のボス５Ａの上端にはやや径の小さい突出部５ａが形成され、他の３本のボス５の上端にはネジ孔５ｂが形成されている。基板３における前記３本のボス５に対応する箇所に取付孔３ａが形成され、奥側のボス５Ａに対応する箇所には位置決め用孔３ｂが形成されている。
【００２３】
図２に示すように、基板３上のＨＤＭＩコネクタ４の取付板４ｂの位置決め用孔４ｄにリアパネル２の突起２ｃを挿入してＨＤＭＩコネクタ４をリアパネル２に位置決めすると共に、基板３の位置決め用孔３ｂにシャーシ１のボス５Ａの突出部５ａを挿入して基板３の位置決めを行う。図３に示すように、リアパネル２の取付孔２ｂからＨＤＭＩコネクタ４の取付板４ｂのネジ止め用孔４ｃにネジ６を挿入してＨＤＭＩコネクタ４をリアパネル２に取付固定する。これと共に、基板３の３つの取付孔３ａからシャーシ１のボス５にネジ孔５ｂにネジ７を螺入して基板３を浮いた状態でシャーシ１に取り付ける。
【００２４】
従って、この第１実施形態によれば、ＨＤＭＩコネクタ４の位置決め用孔４ｄにリアパネル２の突起２ｃを挿入してＨＤＭＩコネクタ４のネジ止め用孔４ｃとリアパネル２の取付孔２ｂを位置決めするようにしたから、ＨＤＭＩコネクタ４とリアパネル２のネジ止め作業が行い易くて簡便にできる。これと共に基板３に形成された位置決め用孔３ｂにシャーシ１のボス５Ａの突出部５ａを挿入して基板３を位置決めするようにしたから、基板３の複数の取付孔３ａと複数のボス５とを正確にネジ止めすることができ、このネジ止め作業が行い易い。また、リアパネル２を鉄板で形成しているから、このリアパネル２に折り曲げにより突起２ｃを簡単に形成することができる。また、ＨＤＭＩコネクタ４に位置決め用孔４ｄを形成したから、突起２ｃを設けていない従来のリアパネルに対しても取り付け可能にすることができる。
【００２５】
図４は第２実施形態のＨＤＭＩコネクタ付き基板の取付構造を示す取付前の状態を示す裏面側から見た斜視図、図５は同取付構造の取付途中の状態を示す裏面側から見た斜視図である。尚、上記した第１実施形態と同一部材、同一箇所には同一符号を付して、その説明を省略する。
【００２６】
この第２実施形態のＨＤＭＩコネクタ付き基板の取付構造は、図４に示すように、リアパネル２Ａが合成樹脂で形成され、成形時に突起２ｄが形成されている。図５に示すように、リアパネル２Ａの突起２ｄをＨＤＭＩコネクタ４の位置決め用孔４ｄに挿入してリアパネル２Ａの取付孔２ｅとＨＤＭＩコネクタ４のネジ止め用孔４ｃにネジ６を挿入して取付固定する。これと共に、基板３の位置決め用孔３ｂにシャーシ１のボス５Ａの突出部５ａが挿入されて位置決めされた後に基板３のネジ挿入孔３ａからボス５のネジ孔５ｂにネジ７を螺入して基板３を浮いた状態で取付固定する。
【００２７】
従って、この第２実施形態によれば、リアパネル２Ａが合成樹脂で形成されているから、このリアパネル２Ａの成形時に突起２ｄを一体に形成することができ、突起２ｄを頑丈に造ることができる。
【００２８】
尚、上記した各実施形態では、ボス５Ａに突出部５ａを設け、この突出部５ａを基板３の位置決め用孔３ｂに挿入して位置決めする構造について説明したが、これに限らず、突出部５ａと位置決め用孔３ｂを設けることなく、ボス５Ａにもネジ孔５ｂを設け、基板３に４箇所のネジ挿入孔３ａを設けるようにしてもよいものである。この場合、基板３の位置決めは、ＨＤＭＩコネクタ４の位置決め用孔４ｄにリアパネル２の突起２ｃあるいは２ｄを挿入することによって行われることとなる。また、基板３の４箇所にネジ挿入孔３ａを設け、４本のボス５を設けるものに限らず、３箇所以上複数のネジ挿入孔３ａと３本以上複数本のボス５を設けたものにも適用できることは勿論である。
【図面の簡単な説明】
【００２９】
【図１】本発明のＨＤＭＩコネクタ付き基板の取付構造の第１実施形態を示す取付前の状態を示す裏面側から見た斜視図である。
【図２】同取付構造の取付途中の状態を示す裏面側から見た斜視図である。
【図３】同取付構造の取付完了時の状態を示す正面側から見た斜視図である。
【図４】第２実施形態のＨＤＭＩコネクタ付き基板の取付構造を示す取付前の状態を示す裏面側から見た斜視図である。
【図５】同取付構造の取付途中の状態を示す裏面側から見た斜視図である。
【図６】従来のＨＤＭＩコネクタ付き基板の取付構造を示す斜視図である。
【図７】従来のパネルに対する部品の取付構造を示し、（ａ）はその側面図、（ｂ）はその正面図である。
【図８】従来の車両用成形天井の取付構造における補助ノブホルダーの仮保持構造を示し、（ａ）はその取付前の断面図、（ｂ）はその取付後の断面図である。
【符号の説明】
【００３０】
１      シャーシ
２      リアパネル
２Ａ    リアパネル
２ａ    開口部
２ｂ    取付孔
２ｃ    突起
２ｄ    突起
３      基板
３ａ    取付孔
３ｂ    位置決め用孔
４      ＨＤＭＩコネクタ（レセプタクル）
４ａ    本体部
４ｂ    取付板
４ｃ    ネジ止め用孔
４ｄ    位置決め用孔
５      ボス
５Ａ    ボス
５ａ    突出部
５ｂ    ネジ孔
６      ネジ
７      ネジ
【図１】
2008016333.tif 000003
【図２】
2008016333.tif 000004
【図３】
2008016333.tif 000005
【図４】
2008016333.tif 000006
【図５】
2008016333.tif 000007
【図６】
2008016333.tif 000008
【図７】
2008016333.tif 000009
【図８】
2008016333.tif 000010